(57)【要約】【課題】  フリッカーの発生を抑制できる、電極の寿命の長い点灯装置を提供する。【解決手段】  ダウンコンバータ１２およびフルブリッジ回路１３が、半周期の始まりにおける電流値が定常電流の値とされる交流電流波形を生成する。制御部１１が、半周期における電流波形として、ランプ３０への供給電流値が上記定常電流の値から第１の電流値まで減少する期間と、上記供給電流値が上記定常電流の値より大きな第２の電流値まで二次曲線的に増大する期間と、該第２の電流値を上記半周期の終わりまで保持する期間とを含む電流波形を生成させる。該半周期における電流波形は、上記供給電流値が上記定常電流の値を下回っている第１の期間における、基準エネルギーに対するエネルギーの減少量が、上記供給電流値が上記定常電流の値を上回っている第２の期間における、基準エネルギーに対するエネルギーの増大量と同じとされている。【選択図】図１
2006179414.tif 000002
【特許請求の範囲】
【請求項１】
半周期の始まりにおける電流値が定常電流の値とされる交流電流波形を生成し、該生成した交流電流波形に基づいて高圧放電ランプに電流を供給する電流供給部と、
前記半周期における電流波形として、前記高圧放電ランプへの供給電流値が前記定常電流の値から第１の電流値まで減少する期間と、増大する電流値の勾配が除々に大きくなる曲線にしたがって、前記供給電流値が前記定常電流の値より大きな第２の電流値まで増大する期間と、該第２の電流値を前記半周期の終わりまで保持する期間とを含む電流波形を前記電流供給部に生成させる制御部とを有し、
前記半周期における電流波形は、前記定常電流を前記高圧放電ランプに供給する場合のエネルギーを基準とし、前記供給電流値が前記定常電流の値を下回っている第１の期間における、前記基準とするエネルギーに対するエネルギーの減少量が、前記供給電流値が前記定常電流の値を上回っている第２の期間における、前記基準とするエネルギーに対するエネルギーの増大量と同じとされていることを特徴とする、高圧放電ランプの点灯装置。
【請求項２】
前記第２の電流値を保持する期間が、１／１０００秒から１／１００００秒の範囲である、請求項１に記載の高圧放電ランプの点灯装置。
【請求項３】
前記第１の期間が、１／１００秒から１／１０００秒の範囲である、請求項１または２に記載の高圧放電ランプの点灯装置。
【請求項４】
前記エネルギーの減少量が、前記定常電流を前記半周期にわたって前記高圧放電ランプに供給する場合の総エネルギーの１％〜１５％の範囲である、請求項１から３のいずれか１項に記載の高圧放電ランプの点灯装置。
【請求項５】
前記第１の電流値と前記定常電流の値との差が、前記定常電流の値の１％〜１５％の範囲である、請求項１から３のいずれか１項に記載の高圧放電ランプの点灯装置。
【請求項６】
半周期の始まりにおける電流値が定常電流の値とされる交流電流を高圧放電ランプに供給するステップと、
前記半周期において、前記高圧放電ランプへの供給電流値を前記定常電流の値から第１の電流値まで減した後、増大する電流値の勾配が除々に大きくなる曲線にしたがって、前記供給電流値を前記定常電流の値より大きな第２の電流値まで増大し、該第２の電流値を前記半周期の終わりまで保持するステップと、
前記定常電流を前記高圧放電ランプに供給する場合のエネルギーを基準とし、前記供給電流値が前記定常電流の値を下回っている第１の期間における、前記基準とするエネルギーに対するエネルギーの減少量を、前記供給電流値が前記定常電流の値を上回っている第２の期間における、前記基準とするエネルギーに対するエネルギーの増大量と同じにするステップとを含むことを特徴とする、高圧放電ランプの点灯方法。
【請求項７】
前記第２の電流値を保持する期間が、１／１０００秒から１／１００００秒の範囲である、請求項６に記載の高圧放電ランプの点灯方法。
【請求項８】
前記第１の期間が、１／１００秒から１／１０００秒の範囲である、請求項６または７に記載の高圧放電ランプの点灯方法。
【請求項９】
前記エネルギーの減少量が、前記定常電流を前記半周期にわたって供給する場合の総エネルギーの１％〜１５％の範囲である、請求項６から８のいずれか１項に記載の高圧放電ランプの点灯方法。
【請求項１０】
前記第１の電流値と前記定常電流の値の差が、前記定常電流の値の１％〜１５％の範囲である、請求項６から８のいずれか１項に記載の高圧放電ランプの点灯方法。
【発明の詳細な説明】
【技術分野】
【０００１】
本発明は、高圧放電ランプ、特に、交流点灯方式の高圧放電ランプの点灯装置および点灯方法に関する。
【背景技術】
【０００２】
キセノンランプ、高圧水銀ランプ、メタルハライドランプなどに代表される高圧放電ランプは、輝度が高く、演色性も良いことから、プロジェクターに代表される投影装置の光源として広く用いられている。
【０００３】
この種の高圧放電ランプは、少量のハロゲンガスが放電発光を維持するのに必要な例えば水銀（Ｈｇ）および不活性ガスがバルブ内に予め封入されており、電極間にグロー放電を誘発することで、封入された水銀が気化し、高圧の水銀ガス中でプラズマ放電が生じる。プラズマ放電時に、水銀イオンおよび電子によるスパッタ現象が生じて、両電極から電極物質、例えばタングステン原子（イオン化状態）が放出される。このようにして放出されたタングステン原子がバルブの内壁に付着してしまうと、バルブ壁が黒化する。ハロゲンサイクルにより、このバルブ壁の黒化が防止される。
【０００４】
ハロゲンサイクルでは、両電極から放出されたタングステン原子（イオン化状態）を予め封入しておいたハロゲン原子と結合させてハロゲン化タングステンを形成する。このハロゲン化タングステンは、バルブ内を熱対流により浮遊し、電極付近で高温にさらされることによって、タングステン原子とハロゲン原子に分離される。分離したタングステン原子は、電極に付着し、これにより電極再生が行われる。一方、分離したハロゲン原子は再びハロゲン化タングステン形成に寄与する。この一連の反応の繰り返しがハロゲンサイクルである。
【０００５】
交流点灯方式の高圧放電ランプにおいて、電極に供給する電流の波形が、図６に示すような、半周期ごとに極性が切り替わる矩形波形である場合は、局所的な温度上昇が起こり難く、電極先端の温度は滑らかに上昇する。この場合、電極先端部分が広範囲にわたって高温状態となり、その結果、ハロゲンサイクルにおける電極物質の戻り（上述したタングステン原子の電極への付着）が分散し、電極先端部分に複数の突起が形成されることになる。複数の突起が形成されると、アークが移動する、アークジャンプと呼ばれる現象が起こる。このアークジャンプは、ちらつき(フリッカー)の発生原因の１つである。電極の間隔（アークギャップ）が広いと、アークジャンプ現象が増える傾向にある。
【０００６】
上記のフリッカーを抑制することができる高圧放電ランプの点灯方法として、特許文献１に記載された点灯方法がある。この点灯方法は、半周期ごとに極性が切り替わるランプ電流に、半周期の所定分の１の電流パルスを重畳することで、半周期の最後の部分において電流が急激に増大するようにしたものである。
【０００７】
上記の他、特許文献２に記載された点灯方法もある。この点灯方法は、半周期（１／２周期）の電流の平均値をａ、その半周期の前半部１／４周期の電流の平均値をａ１、その半周期の後半部１／４周期の電流の平均値をａ２とするとき、ａ１＜ａ２の条件を満たすようにしたものである。
【特許文献１】特表平１０−５０１９１９号公報
【特許文献２】特開２００２−１１０３９２号公報
【発明の開示】
【発明が解決しようとする課題】
【０００８】
しかしながら、上述した従来の点灯方法には、以下のような問題がある。
【０００９】
高圧放電ランプの電極のボリューム（容量）は、消費電力（ワット数）に応じた最適設計がなされており、半周期に供給されるエネルギーの量がその最適設計によって制限されるエネルギーの供給量の上限を超える場合は、電極に余計な負荷を与えることとなる。この結果、ハロゲンサイクルにおける電極成長と電極磨耗の釣り合いが取れなくなって、電極の寿命が短くなってしまう。
【００１０】
特許文献１に記載の点灯方法においては、半周期ごとに、ランプに供給されるエネルギー量の５〜１５％のパルスを重畳させることで、アークジャンプによるフリッカーの発生を抑制している。しかし、この点灯方法では、半周期に供給されるエネルギーの量が上記の最適設計によって制限されるエネルギーの供給量の上限を超える場合がある。このため、電極の寿命が短くなる、という問題を生じる。
【００１１】
特許文献２に記載の点灯方法においては、半周期の後半部分の電流値の平均値を、前半部分の電流値の平均値より大きくすることで、アークジャンプによるフリッカーの発生を抑制している。しかし、この点灯方法も、半周期に供給されるエネルギーの量が上記の最適設計によって制限されるエネルギーの供給量の上限を超える場合があるため、電極の寿命が短くなる、という問題を生じる。
【００１２】
また、プロジェクター等の映像投影装置は、年々高輝度化の要求が高まっており、光源として高出力のランプが用いられるようになってきた。このような高出力ランプは、電極消耗が激しいため、上述した特許文献１、２に記載の点灯方法では、電極の消耗を十分に低減することは困難である。このため、長期的にフリッカーの起こり難く、寿命の長いランプを提供するには、どうしても電極の消耗に対して、さらなる対策を行う必要がある。    
【００１３】
本発明の目的は、上記問題を解決し、アークジャンプによるフリッカーの発生を抑制することができる、電極の寿命の長い点灯装置および点灯方法を提供することにある。
【課題を解決するための手段】
【００１４】
上記目的を達成するため、本発明は、半周期の始まりにおける電流値が定常電流の値とされる交流電流波形を生成し、該生成した交流電流波形に基づいて高圧放電ランプに電流を供給する電流供給部と、前記半周期における電流波形として、前記高圧放電ランプへの供給電流値が前記定常電流の値から第１の電流値まで減少する期間と、増大する電流値の勾配が除々に大きくなる曲線（具体的には、二次曲線）にしたがって、前記供給電流値が前記定常電流の値より大きな第２の電流値まで増大する期間と、該第２の電流値を前記半周期の終わりまで保持する期間とを含む電流波形を前記電流供給部に生成させる制御部とを有する。前記半周期における電流波形は、前記定常電流を前記高圧放電ランプに供給する場合のエネルギーを基準とし、前記供給電流値が前記定常電流の値を下回っている第１の期間における、前記基準とするエネルギーに対するエネルギーの減少量が、前記供給電流値が前記定常電流の値を上回っている第２の期間における、前記基準とするエネルギーに対するエネルギーの増大量と同じとされている。
【００１５】
上記の発明によれば、半周期の始まりにおいて、一旦、供給電流値を定常電流の値から第１の電流値まで下げることで、高圧放電ランプの発光管内の電極先端温度を低減させることができる。これにより、極性の切り替え直後（半周期の始まり）において、電極の先端とその隣接部分との間における温度傾斜（電極先端部の温度傾斜）を大きくすることが可能となる。
【００１６】
加えて、供給電流値を第１の電流値まで下げた後、半周期の終わりにかけて、二次曲線的に第２の電流値まで増大させることで、電極の先端の局所的な温度上昇が起こる。これにより、極性の切り替え直前（半周期の終わり）に、電極先端温度を大きく上昇させることができるので、電極先端部の温度傾斜を大きくすることが可能である。なお、供給電流値を直線的に上昇させた場合は、電極の先端の局所的な温度上昇が起こり難く、電極先端温度は滑らかに上昇することになる。この場合は、電極先端部の温度傾斜を大きくすることは困難である。
【００１７】
また、上記の発明によれば、第１の期間におけるエネルギー減少量と、第２の期間におけるエネルギー増大量とを同じにしているので、消費電力（ワット数）に応じた最適設計がなされている高圧放電ランプの電極において、半周期に供給されるエネルギーの量がその最適設計によって制限されるエネルギーの供給量の上限を超えることがない。したがって、電極に余計な負荷を与えることがなく、ハロゲンサイクルにおける電極成長と電極磨耗の釣り合いを取ることが可能となる。
【発明の効果】
【００１８】
本発明によれば、極性の切り替え直後（半周期の始まり）において、電極先端温度を低減し、かつ、極性の切り替え直前（半周期の終わり）において、電極先端温度を大きく上昇させることで、電極先端部の温度傾斜を大きくとることができる。これにより、アークジャンプの発生を低減し、フリッカーの発生を抑止することができる。
【００１９】
また、本発明によれば、半周期に供給されるエネルギーの量が最適設計によって制限されるエネルギーの供給量の上限を超えないようになっているので、電極に余計な負荷を与えることがなく、ハロゲンサイクルにおける電極成長と電極磨耗の釣り合いを取ることができる。よって、放電に好適な電極の間隔を長期にわたって維持することができ、フリッカーの少ない、寿命の長いランプを実現することができる。
【発明を実施するための最良の形態】
【００２０】
次に、本発明の実施形態について図面を参照して説明する。
【００２１】
図１は、本発明の一実施形態である高圧放電ランプの点灯装置の概略構成を示すブック図である。この点灯装置１０は、直流電源２０に接続されたダウンコンバータ１２と、フルブリッジ回路１３と、ランプ３０が接続されたイグナイター１４と、外部装置（例えば、プロジェクター）からの信号に基づいて点灯装置１０全体の動作を制御する制御部１１とを有する。ランプ３０は、前述したハロゲンサイクルによる電極再生が行われる、交流点灯方式の高圧放電ランプであって、例えば、キセノンランプ、高圧水銀ランプ、メタルハライドランプなどである。
【００２２】
制御部１１は、ＤＳＰ（デジタル・シグナル・プロセッサ）と、ＤＳＰからのデジタル信号をアナルグ信号に変換するＤ／Ａ変換部と、直流電源２０から供給される電流、電圧を検出したり、Ｄ／Ａ変換部からのアナログ信号に基づいてダウンコンバータ１２を制御するための波形を作り出したりするコントロールインタフェースとを有する。
【００２３】
ダウンコンバータ１２は、入力電圧を必要な大きさの電圧に変換するとともに、制御部１１からの信号波形に基づく波形を生成する。図２に、ダウンコンバータ１２の出力波形の一例を示す。図２に示す出力波形では、半周期（Ｔ／２）において、定常電流値Ｉ0から電流値Ｉa（＜Ｉ0）まで徐々に減少した後、二次曲線（放物線）的に電流値Ｉb（＞Ｉ0）まで増大して、その電流値Ｉbを期間ｔにわたって保持するようになっている。
【００２４】
フルブリッジ回路１３は、ダウンコンバータ１２の出力波形を、半周期ごとに極性が切り替わる波形に変換する。図３に、フルブリッジ回路１３の出力波形の一例を示す。図３に示す出力波形では、半周期（Ｔ／２）ごとに極性が切り替わっている。このフルブリッジ回路１３の出力は、ランプ３０に供給されている。
【００２５】
イグナイター１４は、フルブリッジ回路１３の出力に直列に挿入されており（いわゆる内部トリガ方式）、ランプ３０の点灯開始時に必要な高圧（絶縁破壊に必要なパルス電圧）を発生する。
【００２６】
次に、本実施形態の点灯装置における点灯動作について説明する。
【００２７】
図３に示したフルブリッジ回路１３の出力波形に基づく電流がランプ３０に供給される。この電流供給動作において、フルブリッジ回路１３の出力波形における電流値Ｉa、電流値Ｉb、期間ｔ、定常電流を基準にしたエネルギーの増減量などの値は、ハロゲンサイクルの働きをより効果的に得られるような、好適な値に設定されている。
【００２８】
図４に、図３に示した出力波形の詳細な条件を示す。図４中、実線が、図３に示した出力波形（供給電流波形）を示し、破線が、半周期（Ｔ／２）ごとに定常電流値で正負が切り替わる矩形波形（基準波形）を示す。
【００２９】
電流値Ｉaと定常電流値Ｉ0との差は、
Ｉ0−Ｉa＝Ｉ0×０．０１〜Ｉ0×０．１５
の範囲で設定されている。電流値が、定常電流値Ｉ0から電流値Ｉaまで徐々に減少し、再び定常電流値Ｉ0になるまでの期間ｔ１は、１／１００ｓｅｃ〜１／１０００ｓｅｃの範囲に設定されている。電流値Ｉbを保持する期間ｔは、１／１０００ｓｅｃ〜１／１００００ｓｅｃの範囲に設定されている。
【００３０】
供給電流波形は、半周期の最初の期間ｔ１においては、電流値が定常電流値Ｉ0を下回っており、その後の、半周期の終わりまでの期間ｔ２においては、電流値が定常電流値Ｉ0を上回っている。供給電流波形は、期間ｔ１における、供給電流波形と基準波形とによって囲まれた領域の面積Ｓ１と、期間ｔ２における、供給電流波形と基準波形とによって囲まれた領域の面積Ｓ２とが同じ面積になるように設定されている。すなわち、供給電流波形は、半周期にわたって定常電流をランプ３０に供給する場合の供給エネルギーを基準にして、期間ｔ１におけるエネルギーの減少量（面積Ｓ１）と期間ｔ２におけるエネルギーの増幅量（面積Ｓ２）とが同じなっている。エネルギーの減少量（面積Ｓ１）は、半周期においてランプ３０に供給される総エネルギー量（定常電流を半周期にわたってランプ３０に供給した場合のエネルギー量に同じ）の１％〜１５％の範囲で設定することが望ましい。
【００３１】
電流値Ｉbは、電流値Ｉaと定常電流値Ｉ0との差、期間ｔ、期間ｔ１、エネルギーの増減量（面積Ｓ１＝面積Ｓ２）の各値を上述の範囲に設定することが可能な範囲内で設定されている。
【００３２】
制御部１１の制御により、ダウンコンバータ１２およびフルブリッジ回路１３からなる電流供給部からフランプ３０に、上記のような設定がなされた図４の出力波形に基づく電流が供給される。この制御部１１による電流供給制御では、半周期（Ｔ／２）において、まず、ランプ３０に供給される電流を、定常電流（Ｉ0）から電流値Ｉaまで徐々に減少させる。その後、供給電流を二次曲線（放物線）的に電流値Ｉbまで増大させる。そして、供給電流を電流値Ｉbで期間ｔにわたって保持させる。
【００３３】
上記の制御部１１による図４の出力波形に基づく電流供給制御によれば、以下の（１）〜（３）の点の相互作用によって、ハロゲンサイクルがより効果的に働き、その結果、好適な電極先端形状を長期間にわたって維持し、電極の寿命をより長くすることができる。
【００３４】
（１）ランプ供給電流を定常電流値Ｉ0から電流値Ｉaまで減少させる点：
半周期の始まりにおいて、一旦、供給電流の値を下げることで、ランプ３０の発光管内の電極先端温度を低減させることができる。これにより、極性の切り替え直後（半周期の始まり）において、電極の先端とその隣接部分との間における温度傾斜（電極先端部の温度傾斜）を大きくすることが可能となる。
【００３５】
（２）ランプ供給電流を二次曲線（放物線）的に電流値Ｉbまで増大させる点：
直線的に上昇させた場合は、電極の先端の局所的な温度上昇が起こり難く、電極先端温度は滑らかに上昇する。この場合は、電極先端部の温度傾斜を大きくすることは困難である。これに対して、二次曲線（放物線）的な制御によれば、電極の先端の局所的な温度上昇が起こる。よって、極性の切り替え直前（半周期の終わり）に、電極先端温度を大きく上昇させることができ、電極先端部の温度傾斜を大きくすることが可能である。上記（１）の点とこの（２）の点との相互作用により、電極先端部分の温度傾斜はさらに大きくなる。
【００３６】
（３）期間ｔ１の減少エネルギー量と期間ｔ２の増大エネルギー量を同じにする点：
高圧放電ランプの電極のボリューム（容量）は、消費電力（ワット数）に応じた最適設計がなされている。このため、半周期に供給されるエネルギーの量がその最適設計によって制限されるエネルギーの供給量の上限を超える場合は、電極に余計な負荷を与えてしまい、電極の寿命が短くなる。期間ｔ１の減少エネルギー量と期間ｔ２の増大エネルギー量とを同じにすることで、半周期に供給されるエネルギー量は、定常電流を半周期にわたって供給する場合のエネルギー量（最適設計によって制限されるエネルギー量に同じ）と同じになる。この場合は、電極に余計な負荷を与えることがないため、ハロゲンサイクルにおける電極成長と電極磨耗の釣り合いが取れ、放電間隔を長期にわたって維持することができる。よって、フリッカーの少ない、寿命の長いランプを実現することができる。
【００３７】
また、上述した制御部１１による電流供給制御において、期間ｔ１（供給電流が定常電流値Ｉ0より低くなっている期間）の長さ、この期間ｔ１における減少エネルギーの量、および期間ｔの長さには、上記（１）〜（３）の点による効果をより大きなものとすることができる好適な範囲が存在する。
【００３８】
具体的に説明すると、期間ｔ１が「１／１００ｓｅｃ」より長いと、ランプの電極そのものの温度が大きく下がって、ハロゲンサイクルの働きを妨げることになり、場合によっては、フリッカーやランプバルブの黒化現象を引き起こす。反対に、期間ｔ１が、「１／１０００ｓｅｃ」より短いと、電極先端温度を低減させることが困難になる。このことから、期間ｔ１は、「１／１００ｓｅｃ〜１／１０００ｓｅｃ」の範囲とする必要がある。
【００３９】
また、期間ｔ１の減少エネルギー量が、ランプ３０に供給される総エネルギー量の「１５％」を越えると（または、電流値Ｉaと定常電流値Ｉ0との差が、電流値Ｉ0の「１５％」を越えると）、ランプの電極そのものの温度が下がりすぎて、ハロゲンサイクルの働きを妨げることになる。反対に、減少エネルギー量が総エネルギー量の「１％」未満（または、電流値Ｉaと定常電流値Ｉ0との差が、電流値Ｉ0の「１％」未満）では、電極先端温度の低減に寄与しなくなる。このため、期間ｔ１の減少エネルギー量は、総エネルギー量の「１％〜１５％」の範囲（または、電流値Ｉaと定常電流値Ｉ0との差は、電流値Ｉ0の「１％〜１５％」の範囲）とする必要がある。
【００４０】
また、期間ｔが「１／１０００ｓｅｃ」より長くなると、電極の消耗量が大きくなり、その結果、電極消耗量がハロゲンサイクルによる電極成長を上回ってしまう。反対に、期間ｔが「１／１００００ｓｅｃ」より短くなると、電極先端温度の上昇に寄与しなくなる。このため、期間ｔは、「１／１０００ｓｅｃ〜１／１００００ｓｅｃ」の範囲とする必要がある。
【００４１】
上記の知見から、本実施形態では、期間ｔ１を「１／１００ｓｅｃ〜１／１０００ｓｅｃ」の範囲とし、期間ｔ１の減少エネルギー量を総エネルギー量の「１％〜１５％」とし、期間ｔを「１／１０００ｓｅｃ〜１／１００００ｓｅｃ」の範囲とする、といった好適な条件を見出しており、この条件を採用することにより、上述した（１）〜（３）の点による効果をより大きなものとしている。具体的には、この好適な条件で電流供給を行った場合は、図６に示した波形に基づいて電流供給を行った場合に比べて、約１．５倍から２倍のランプ寿命が得られている。なお、期間ｔ１、期間ｔおよび減少エネルギー量の各条件は適宜組み合せてもよい。
【００４２】
以上説明した本実施形態の点灯装置は本発明の一例であり、その構成および動作は、上述した（１）〜（３）の点を有するのであれば、どのように変更してもよい。
【００４３】
例えば、ダウンコンバータ１２およびフルブリッジ回路１３からなる電流供給部の出力波形として、図４の出力波形に代えて、（１）〜（３）の点を実現可能な他の出力波形を採用してもよい。図５に、この他の出力波形の一例を示す。図５中、実線が、電流供給部の出力波形（供給電流波形）を示し、破線が、半周期（Ｔ／２）ごとに定常電流値で正負が切り替わる矩形波形（基準波形）を示す。
【００４４】
図５に示す供給電流波形では、半周期（Ｔ／２）において、定常電流値Ｉ0から電流値Ｉc（＜Ｉ0）まで急激に減少した後、二次曲線（放物線）的に電流値Ｉd（＞Ｉ0）まで増大して、その電流値Ｉdを期間ｔにわたって保持するようになっている。定常電流値Ｉ0から電流値Ｉc（＜Ｉ0）まで急激に減少している点以外は、図４に示した出力波形と同様の条件になっている。すなわち、電流値Ｉcと定常電流値Ｉ0との差は、
Ｉ0−Ｉc＝Ｉ0×０．０１〜Ｉ0×０．１５
の範囲で設定されている。期間ｔ１は、１／１００ｓｅｃ〜１／１０００ｓｅｃの範囲に設定され、期間ｔは、１／１０００ｓｅｃ〜１／１００００ｓｅｃの範囲に設定されている。期間ｔ１のエネルギーの減少量（面積Ｓ３）と期間ｔ２のエネルギーの増大量（面積Ｓ４）とは同じで、エネルギーの減少量（面積Ｓ３）は、半周期においてランプ３０に供給される総エネルギー量の１％〜１５％の範囲で設定されている。
【００４５】
上記のように設定された供給電流波形によっても、上述の図４に示した供給電流波形と同様な作用および効果を奏する。
【００４６】
また、図１に示した構成において、フルブリッジ回路１３の出力にイグナイター１４を直列に挿入した内部トリガ方式を採用しているが、ランプ３０の電極にイグナイター１４の出力を並列に接続する、いわゆる外部トリガ方式を採用してもよい。
【産業上の利用可能性】
【００４７】
プロジェクターに代表される投影装置の光源の他、医療用ランプなどへの適用が可能である。
【図面の簡単な説明】
【００４８】
【図１】本発明の一実施形態である高圧放電ランプの点灯装置の概略構成を示すブック図である。
【図２】図１に示すダウンコンバータの出力波形の一例を示す波形図である。
【図３】図１に示すフルブリッジ回路の出力波形の一例を示す波形図である。
【図４】図３に示した出力波形の詳細な条件を説明するための図である。
【図５】図１に示すフルブリッジ回路の他の出力波形の一例を示す波形図である。
【図６】従来の交流点灯方式の高圧放電ランプに供給される交流電流波形の一例を示す波形図である。
【符号の説明】
【００４９】
１０  点灯装置
２０  直流電源
３０  ランプ
１１  制御部
１２  ダウンコンバータ
１３  フルブリッジ回路
１４  イグナイター
【図１】
2006179414.tif 000003
【図２】
2006179414.tif 000004
【図３】
2006179414.tif 000005
【図４】
2006179414.tif 000006
【図５】
2006179414.tif 000007
【図６】
2006179414.tif 000008